(57)【要約】【目的】非常時に、遠隔の連絡先に、ユーザの非常事態を自動的に通報することができる非常通知機能付き携帯端末装置を提供する。【構成】携帯端末装置本体に設けられたボタンや突起棒等の非常スイッチから成り、ユーザからの非常事態の通知指示を受け付ける非常入力部１０９と、前記非常入力部１０９の操作を検知し、ユーザに非常事態が発生した旨を文章、音声、画像等によって表す非常メッセージを生成する制御部１０２と、生成された非常メッセージを、電話回線やインターネット回線等の通信回線５００を用いて、メッセージの宛先者に通知する通信部１０５とを備える。【選択図】図１
2004040339.tif 000002
【特許請求の範囲】
【請求項１】
非常事態の通知指示を受け付ける非常入力手段と、
前記非常入力手段の操作を検知し、非常事態が発生した旨を、通信回線を用いて、通知する非常通知手段とを備えることを特徴とする非常通知機能付き携帯端末装置。
【請求項２】
前記非常通知機能付き携帯端末装置は、さらに、
操作者からの指示に従って、前記非常入力手段に対応づけて、非常事態の通知先を設定し、当該通知先を登録する非常通知先登録手段を備えることを特徴とする請求項１記載の非常通知機能付き携帯端末装置。
【請求項３】
前記非常通知機能付き携帯端末装置は、さらに、
前記非常入力手段の操作を検知し、当該操作時における携帯端末装置の位置情報を取得する位置取得手段と、
前記位置取得手段によって、取得した位置情報を、通信回線を用いて、通知する位置通知手段とを備えることを特徴とする請求項１または２記載の非常通知機能付き携帯端末装置。
【請求項４】
前記非常通知機能付き携帯端末装置は、さらに、
前記非常入力手段の操作を検知し、ブザーを鳴動させることによって、非常事態が発生した旨を、通知する非常ブザー鳴動手段を備えることを特徴とする請求項１〜３のいずれか１項に記載の非常通知機能付き携帯端末装置。
【請求項５】
前記非常通知手段は、
メールを送信し、インターネット回線を通じて、非常事態が発生した旨を、通知することを特徴とする請求項１〜４のいずれか１項に記載の非常通知機能付き携帯端末装置。
【請求項６】
前記非常通知手段は、
電話を発信し、電話回線を通じて、非常事態が発生した旨を、通知することを特徴とする請求項１〜５のいずれか１項に記載の非常通知機能付き携帯端末装置。
【請求項７】
前記非常通知手段を複数備えることを特徴とする請求項１〜６のいずれか１項に記載の非常通知機能付き携帯端末装置。
【請求項８】
非常事態の通知指示を受け付ける非常入力手段と、
非常事態の通知先を設定し、設定した通知先に通信回線を用いて非常事態が発生した旨を通知する非常通知と、前記非常入力手段の操作時における携帯端末装置の位置情報を取得する位置情報取得と、前記設定した通知先に通信回線を用いて取得位置情報を通知する位置情報通知と、ブザーの鳴動によって非常事態が発生した旨を知らせる非常ブザー鳴動とを、非常時動作とし、操作者からの指示に従って、前記非常入力手段に対応づけて、非常事態における非常時動作を設定し、当該非常時動作を登録する非常動作登録手段と、
前記非常入力手段の操作を検知し、前記非常動作登録手段によって、登録された非常時動作を実行する非常動作実行手段とを備えることを特徴とする非常通知機能付き携帯端末装置。
【請求項９】
前記非常入力手段は、
前記非常通知機能付き携帯端末装置の表面部に備えられた凹部に埋設されているボタンであり、
前記非常通知手段は、
前記ボタンの押込みを、前記非常入力手段の操作として検知することを特徴とする請求項１〜８のいずれか１項に記載の非常通知機能付き携帯端末装置。
【請求項１０】
前記非常入力手段は、
前記非常通知機能付き携帯端末装置に備えられた携帯端末装置本体から突起した棒材であり、
前記非常通知手段は、
当該突起した棒材の折り曲げを、前記非常入力手段の操作として検知することを特徴とする請求項１〜８のいずれか１項に記載の非常通知機能付き携帯端末装置。
【請求項１１】
前記非常入力手段は、
前記非常通知機能付き携帯端末装置に取り付けられるストラップであり、
前記非常通知手段は、
当該ストラップの引き抜きを、前記非常入力手段の操作として検知することを特徴とする請求項１〜８のいずれか１項に記載の非常通知機能付き携帯端末装置。
【請求項１２】
前記非常入力手段は、
マイクロフォンを用いて、前記非常通知機能付き携帯端末装置に入力される音声であり、
前記非常通知手段は、
当該マイクロフォンを用いた音声入力を、前記非常入力手段の操作として検知することを特徴とする請求項１〜８のいずれか１項に記載の非常通知機能付き携帯端末装置。
【請求項１３】
前記非常入力手段が、前記マイクロフォンを用いた音声入力である場合に、
前記マイクロフォンを用いて、音声を入力し、当該音声を非常音声として記録する非常音声録音手段と、
前記マイクロフォンを用いた音声入力により、入力された音声を検知し、前記非常音声との同一性を判断する音声判定手段とを備えることを特徴とする請求項１２記載の非常通知機能付き携帯端末装置。
【請求項１４】
前記非常入力手段を複数備えることを特徴とする請求項１〜１２のいずれか１項に記載の非常通知機能付き携帯端末装置。
【請求項１５】
前記非常ブザー鳴動手段を複数備えることを特徴とする請求項４記載の非常通知機能付き携帯端末装置。
【請求項１６】
前記非常動作登録手段を複数備えることを特徴とする請求項８記載の非常通知機能付き携帯端末装置。
【請求項１７】
前記非常通知機能付き携帯端末装置は、さらに、
前記非常入力手段の操作を検知し、当該非常通知機能付き携帯端末装置の主電源スイッチがＯＦＦ状態である場合に、当該非常通知機能付き携帯端末装置の主電源スイッチをＯＮにする非常電源投入手段を備えることを特徴とする請求項１〜１６のいずれか１項に記載の非常通知機能付き携帯端末装置。
【発明の詳細な説明】
【０００１】
【発明の属する技術分野】
本発明は、通信回線を用いたコミュニケーション手段を用いて、ユーザの非常事態を通知する非常通知機能付き携帯端末装置に関する。
【０００２】
【従来の技術】
従来、ひったくりや暴漢等の突発的な犯罪に備えて、護身用として防犯ブザー機能を内蔵した携帯端末装置や、疾患による突然の発作に備えて、ユーザの周囲に非常事態を知らせる救急ブザーを発する機能を内蔵した携帯端末装置等が存在する。
これらの携帯端末装置は、防犯ブザーや救急ブザーのボタン等を操作することによって、大音量の警報音を鳴動させ、ユーザの周囲に対して、ユーザが非常事態に陥っていることを知らせて、犯罪の目撃者やユーザを救護する者を増加させる役割を果たしている。そして、ユーザ自らまたは周囲の救護者は、必要に応じて、当該携帯端末装置等を用いて、ユーザの自宅や警察、救急病院等に連絡し、救援を要請することとなる。
【０００３】
【発明が解決しようとする課題】
しかしながら、防犯ブザーまたは救急ブザーとして警報音を鳴動させるのみでは、例えば、周囲に人がいない等、周囲に対して、ユーザが非常事態に陥っていることを知らせることができず、ユーザが非常事態に応じた救援を適切に得ることができないことがある。このような場合には、ユーザは、当該非常事態を、電話をかける等して、ユーザの家族等に知らせようとするが、ユーザは、危急の状況下において、電話を発信する操作をして、連絡先の相手方と会話をし、自己の現在地を説明したり、非常事態を知らせるメール文を作成し、メールを送信する操作をしたりしなければならず、非常事態に陥ったユーザが、いかなる非常事態に見舞われているかを連絡先の相手方に知らせることは困難である。特に、携帯端末装置等の電源を切っている状況下においては、携帯端末装置等の電源を入れる操作まで必要となるため、ユーザが、いかなる非常事態にあるのかを知らせることは、事実上不可能に近いといわざるをえない。
【０００４】
また、非常事態も種種雑多であるため、例えば、ユーザの家族にのみ非常事態を通知したい場合のように、特定の連絡先にのみ知らせたい非常事態も存在する。このような場合に、大音量の警報音を鳴動させることは、非常時の動作として、不適当であり、携帯端末装置を用いて、通話を開始する行為は、特定の者以外に知られたくない非常事態を、周囲に悟られてしまうおそれがある。
そこで、本発明は、非常時に、遠隔の連絡先に、ユーザの非常事態を自動的に通報することができる非常通知機能付き携帯端末装置を提供することを第一の目的とする。
【０００５】
そして、本発明は、携帯端末装置の電源を切った状態であっても、電源を入れる操作や電話をかける操作をすることなく、ユーザの非常事態を通報し、必要な救援を求めることができる非常通知機能付き携帯端末装置を提供することを第二の目的とする。
さらに、本発明は、様々な非常事態に応じた非常時動作を実行することができる非常通知機能付き携帯端末装置を提供することを第三の目的とする。
【０００６】
【課題を解決するための手段】
上記第一の目的を達成するために、本発明に係る非常通知機能付き携帯端末装置は、非常事態の通知指示を受け付ける非常入力手段と、前記非常入力手段の操作を検知し、非常事態が発生した旨を、通信回線を用いて、通知する非常通知手段とを備えることを特徴とする。
【０００７】
また、上記第二の目的を達成するために、本発明に係る非常通知機能付き携帯端末装置は、さらに、前記非常入力手段の操作を検知し、主電源スイッチがＯＦＦ状態である場合に、当該非常通知機能付き携帯端末装置の主電源スイッチをＯＮにする非常電源投入手段を備えることを特徴とする。
【０００８】
さらに、上記第三の目的を達成するために、本発明に係る非常通知機能付き携帯端末装置は、非常事態の通知指示を受け付ける非常入力手段と、非常事態の通知先を設定し、設定した通知先に通信回線を用いて非常事態が発生した旨を通知する非常通知と、前記非常入力手段の操作時における携帯端末装置の位置情報を取得する位置情報取得と、前記設定した通知先に通信回線を用いて取得位置情報を通知する位置情報通知と、ブザーの鳴動によって非常事態が発生した旨を知らせる非常ブザー鳴動とを、非常時動作とし、操作者からの指示に従って、前記非常入力手段に対応づけて、非常事態における非常時動作を設定し、当該非常時動作を登録する非常動作登録手段と、前記非常入力手段の操作を検知し、前記非常動作登録手段によって、登録された非常時動作を実行する非常動作実行手段とを備えることを特徴とする。
【０００９】
【発明の実施の形態】
本発明の実施の形態について、図を参照しながら説明する。
（実施の形態１）
図１は、本発明の実施の形態１における非常通知機能付き携帯端末装置１００の構成を示す機能ブロック図である。この非常通知機能付き携帯端末装置は、通常使用時には、発着信、通話、メール送受信等の機能を有する携帯電話機やＰＨＳ（Ｐｅｒｓｏｎａｌ　Ｈａｎｄｙｐｈｏｎｅ　Ｓｙｓｔｅｍ）電話機等であり、入力部１０１、制御部１０２、電源部１０３、電源スイッチ１０４、通信部１０５、表示部１０６、データ記録部１０７、位置情報取得部１０８、非常入力部１０９およびスピーカ１１０を備える。
【００１０】
入力部１０１は、発信先電話番号やユーザ属性情報等を、本非常通知機能付き携帯端末装置１００に入力するためのボタン、キー、マイク等である。ここで、ユーザ属性情報とは、本非常通知機能付き携帯端末装置１００のユーザの氏名、性別、年齢等の個人情報をいい、ボタン、キー等を用いて文字入力されたり、マイク等を用いて音声入力されたりする。
【００１１】
制御部１０２は、本非常通知機能付き携帯端末装置１００を構成する他の各部を制御するＣＰＵ等であり、内部にメモリを備え、通常の携帯電話機が備える機能、例えば、発着信機能、着信音再生機能等を制御する。そして、この制御部１０２は、非常スイッチ登録部１０２ａと非常スイッチ検知部１０２ｂとを備える。
【００１２】
非常スイッチ登録部１０２ａは、非常スイッチごとに、非常時の動作を設定し、当該動作設定をデータ化して、データ記録部１０７に記録する処理部である。ここで、非常時の動作としては、非常メッセージのメール送信、非常メッセージの電話発信、非常通知ブザーの鳴動、ユーザ現在位置情報のメール送信、ユーザ現在位置情報の音声読み上げ発信等がある。
【００１３】
ここで、非常メッセージとは、ユーザの非常事態をメッセージの宛先者に知らせる文章、音声、画像等をいい、非常通知ブザーとは、ユーザの非常事態を、前記ユーザの周囲に知らせるための音声による警報をいう。また、ユーザ現在位置情報とは、本非常通知機能付き携帯端末装置１００の位置情報をいい、位置情報取得部１０８が、ＧＰＳ（Ｇｌｏｂａｌ　Ｐｏｓｉｔｉｏｎｉｎｇ　Ｓｙｓｔｅｍ）等によって、ＧＰＳ衛星や基地局等から取得する経度、緯度および高度情報をいう。
【００１４】
非常スイッチ検知部１０２ｂは、非常入力部１０９の操作から、非常スイッチの種類を判断し、データ記録部１０７が記録している前記動作設定を読み出し、前記動作設定に従って、当該動作を実行する処理部である。
電源部１０３は、蓄電池、バッテリーであり、本非常通知機能付き携帯端末装置１００を構成する各部に電気エネルギーを供給する。なお、この電源部１０３は、非常入力部１０９には、常時電気エネルギーを供給するものとする。
【００１５】
電源スイッチ１０４は、電源部１０３から本非常通知機能付き携帯端末装置１００を構成する各部に流れる電流を通したり、止めたりする装置である。電源スイッチ１０４は、入力部１０１を介して、ＯＮ／ＯＦＦが切り替わり、非常時にＯＦＦ状態である場合には、非常入力部１０９からの信号により、強制的にＯＮに切り替わる。
【００１６】
通信部１０５は、無線により、基地局等と通信を行なうアンテナや無線送受信部や通信インターフェース等からなる。当該通信部１０５は、通常使用時には、従来の携帯電話が行なう通信処理と同様の処理を行ない、非常時には、前記非常時動作設定に従って、前記非常スイッチ検知部１０２ｂから、発信先電話番号、送信先メールアドレス、発信、送信等の指令を受取り、自動発信や自動送信の処理を行なう。
【００１７】
表示部１０６は、電話番号や位置情報等を表示する液晶ディスプレイである。データ記録部１０７は、ハードディスク等の記憶装置であり、電話番号、メールアドレス、着信音等の従来の携帯電話が記録している情報に加えて、文字入力または音声入力されたユーザ属性情報、非常通知ブザー音、前記非常スイッチ登録部１０２ａが設定した非常時動作設定等を記録する。
位置情報取得部１０８は、無線により、ＧＰＳ衛星や基地局等と通信を行なうアンテナおよび受信回路等からなり、制御部１０２から位置情報取得の指示を受けて、ユーザ現在位置情報を取得し、制御部１０２に送る。
【００１８】
非常入力部１０９は、本非常通知機能付き携帯端末装置１００のユーザが、非常事態を知らせる際に操作するボタン、突起棒等の非常スイッチであり、当該スイッチ情報に基づいて、電源スイッチ１０４の状態を検知し、電源スイッチ１０４を強制的にＯＮにする回路を制御する機能を備える。この非常入力部１０９は、誤操作防止のため、通常使用時における操作とは異なった特別な手順の操作を必要とする。
【００１９】
スピーカ１１０は、通常使用時には、着信を知らせる着信音を外部出力する装置であり、非常時には、前記非常時動作設定に従って、非常スイッチ検知部１０２ｂから送られる非常ブザー音を外部出力し、本非常通知機能付き携帯端末装置１００本体を揺れ動かすバイブレータとしての機能をも備える装置である。
【００２０】
図２は、本非常通知機能付き携帯端末装置１００の外観を示す図である。
図２（ａ）は、本非常通知機能付き携帯端末装置１００の正面外観図である。本非常通知機能付き携帯端末装置１００の正面は、従来の携帯電話と同様に、電源スイッチを作動するボタン、電話番号を入力するためのテンキー、通話相手の音声を出力するスピーカ、通話音声を入力するマイク等を備えるとともに、正面凹ボタン１２１とシャッター１２２を備える。この正面凹ボタン１２１を押すと、非常スイッチとして作動し、前記非常入力部１０９の一を構成する。そして、この正面凹ボタン１２１は、誤操作防止のため、通常時は、シャッター１２２によって、封がされている。
【００２１】
そして、本非常通知機能付き携帯端末装置１００の上部には、従来の携帯電話と同様に、アンテナを備えるととともに、突起棒１２３を備える。この突起棒１２３は、プラスチック製筒体であり、内側表面が導電性材料で塗布された導電体を構成している。そして、当該突起棒１２３を折り曲げると、導電体が切断されて、非常スイッチとして作動し、前記非常入力部１０９の一を構成する。図２（ｃ）は、当該突起棒１２３が、非常スイッチとして作動する状態を表す図である。ここで、内側表面に導電性材料が塗布された導電体の部分を、斜線で囲まれた部分として表す。なお、この突起棒１２３は、本非常通知機能付き携帯端末装置１００の上部に設けられた筒穴１２４に嵌め込まれており、折り曲げられた当該突起棒１２３を当該筒穴１２４から抜いて、新たな突起棒１２３と交換することができるようになっている。
【００２２】
図２（ｂ）は、本非常通知機能付き携帯端末装置１００の背面外観図である。本非常通知機能付き携帯端末装置１００の背面は、従来の携帯電話と同様に、バッテリーを備えるとともに、背面凹ボタン１２５とシャッター１２２を備える。この背面凹ボタン１２５を押すと、非常スイッチとして作動し、前記非常入力部１０９の一を構成する。そして、正面凹ボタン１２１と同様に、背面凹ボタン１２５も、誤作動防止のため、通常時は、シャッター１２２によって、封がされている。
【００２３】
また、本非常通知機能付き携帯端末装置１００の背面上部には、ストラップ巻き付け具１２６と、当該ストラップ巻き付け具１２６を挿入するストラップ巻き付け具挿入筒穴１２７とを備える。ここで、ストラップ巻き付け具１２６は、棒状または平板状のプラスチック製の部材であり、導電体を被覆しており、外側表面に、凹突起または凸突起を備える。なお、ストラップ１２８を巻き付ける部分については、従来の携帯端末装置と同様の構成となっている。
【００２４】
さらに、ここで、ストラップ巻き付け具挿入筒穴１２７は、前記ストラップ巻き付け具１２６を挿し込むための筒状の穴であり、外側表面には、導電体が埋設され、内側表面には、前記ストラップ巻き付け具１２６外部表面の凹突起または凸突起と嵌め合わされる凸突起または凹突起を備える。
【００２５】
そして、前記ストラップ巻き付け具１２６が、前記ストラップ巻き付け具挿入筒穴１２７に挿入された状態では、二つの導電体が連結されており、ストラップ１２８を一定限度以上の力によって引っ張ることによって、凹突起と凸突起との嵌め合わせが外れて、前記ストラップ巻き付け具１２６が前記ストラップ巻き付け具挿入筒穴１２７から抜き出され、連結されていた導電体が切断されて、非常スイッチとして作動し、前記非常入力部１０９の一を構成する。図２（ｄ）は、前記ストラップ１２８の引き抜きが、非常スイッチとして作動する状態を表す図である。ここで、被覆されている導電体の部分を、斜線で囲まれた部分として表す。なお、前記ストラップ巻き付け具１２６は、ストラップ巻き付け具挿入筒穴１２７に、自由に挿抜することができるようになっているが、一定限度以上の力をもってストラップ１２８を引っ張らなければ、抜けないようになっている。
【００２６】
以上のように構成された本非常通知機能付き携帯端末装置１００の非常時動作設定と非常時動作実行との二つの処理について図を用いて説明する。
図３は、本非常通知機能付き携帯端末装置１００の非常スイッチに割り当てる非常時動作を設定する処理フロー図である。
当該非常時動作の設定は、非常スイッチ登録部１０２ａが、入力部１０１や非常入力部１０９を介して、ユーザからの指示を受け取り、表示部１０６を介して、設定内容をユーザに示しながら、処理する。
【００２７】
まず、非常スイッチ登録部１０２ａは、非常時の動作を割り当てる非常スイッチの指定を受け付ける（Ｓ１）。例えば、正面凹ボタン１２１に非常時の動作を割り当てる場合は、非常スイッチ登録部１０２ａは、非常スイッチとして正面凹ボタン１２１の指定を受け付ける。そして、非常スイッチ登録部１０２ａは、指定された非常スイッチの情報を内部メモリに保持する。
【００２８】
次に、非常スイッチ登録部１０２ａは、前記指定された非常スイッチに割り当てる非常時の動作として、非常メッセージ通知手段の選択を受け付ける（Ｓ２）。この非常メッセージ通知手段としては、非常通知メールと非常通知電話とを用いるものとする。ここで、非常通知メールとは、メールを送信することによって、非常メッセージを通知する手段であり、非常通知電話とは、電話を発信することによって、非常メッセージを通知する手段である。
【００２９】
すなわち、前述の例であれば、非常スイッチ登録部１０２ａは、正面凹ボタン１２１を押した場合に、非常メッセージを通知する手段として、非常通知メールを用いるか、非常通知電話を用いるか、という選択を受け付ける。そして、非常スイッチ登録部１０２ａは、選択された非常メッセージ通知手段を内部メモリに保持する。
【００３０】
前記非常メッセージ通知手段として、非常通知メールを選択した場合、非常スイッチ登録部１０２ａは、非常通知メールの送信先となるメールアドレスの指定を受け付ける（Ｓ３）。このとき、予めデータ記録部１０７に格納されている複数のメールアドレスの中から、所望の送信先メールアドレスを選択したり、入力部１０１を介して、送信先メールアドレスを入力したりして、非常通知メールの送信先となるメールアドレスの指定が行なわれ、非常スイッチ登録部１０２ａが、指定された送信先メールアドレスを内部メモリに保持する。
【００３１】
次に、非常スイッチ登録部１０２ａは、非常通知メールの非常通知メッセージ文の編集を受け付ける（Ｓ４）。ここで、非常通知メッセージ文とは、非常メッセージを構成する文章であり、ユーザの非常事態を知らせる文章をいい、文字、記号、画像等を組み合わせて構成される。
【００３２】
このとき、予めデータ記録部１０７に格納されている複数の非常通知メッセージ文の中から、所望の非常通知メッセージ文を選択したり、入力部１０１を介して、非常通知メッセージ文を入力したりして、非常通知メールの非常通知メッセージ文の編集が行なわれ、非常スイッチ登録部１０２ａが、編集された非常通知メッセージ文を内部メモリに保持する。
さらに、非常スイッチ登録部１０２ａは、ユーザ属性情報の送信を行なうか否かの選択を受け付ける（Ｓ５）。
【００３３】
ここで、ユーザ属性情報の送信を行なう場合は、非常スイッチ登録部１０２ａは、非常通知メールに含められるユーザ属性情報の編集を受け付ける（Ｓ６）。このとき、予めデータ記録部１０７に格納されているユーザ属性情報の中から、所望のユーザ属性情報を選択したり、入力部１０１を介して、ユーザ属性情報を作成したりして、非常通知メールに含められるユーザ属性情報の編集が行なわれ、非常スイッチ登録部１０２ａが、編集されたユーザ属性情報を内部メモリに保持する。他方、ユーザ属性情報の送信を行なわない場合は、非常スイッチ登録部１０２ａは、ユーザ属性情報の送信を行なわないという情報を内部メモリに保持する。
【００３４】
一方、前記非常メッセージ通知手段として、非常通知電話を選択した場合、非常スイッチ登録部１０２ａは、非常通知電話の発信先となる電話番号の指定を受け付ける（Ｓ７）。このとき、予めデータ記録部１０７に格納されている複数の電話番号の中から、所望の発信先電話番号を選択したり、入力部１０１を介して、発信先電話番号を入力したりして、非常通知電話の発信先となる電話番号の指定が行なわれ、非常スイッチ登録部１０２ａが、指定された発信先電話番号を内部メモリに保持する。
【００３５】
次に、非常スイッチ登録部１０２ａは、非常通知電話の非常通知メッセージ音声の録音編集を受け付ける（Ｓ８）。ここで、非常通知メッセージ音声とは、非常メッセージを構成する音声であり、ユーザの非常事態を知らせる音声をいう。このとき、予めデータ記録部１０７に格納されている複数の非常通知メッセージ音声の中から、所望の非常通知メッセージ音声を選択したり、通話音声を入力するマイクを介して、前記ユーザの声によって非常通知メッセージ音声を入力したりして、非常通知電話の非常通知メッセージ音声の録音編集が行なわれ、非常スイッチ登録部１０２ａが、録音編集された非常通知メッセージ音声を内部メモリに保持する。
【００３６】
さらに、非常スイッチ登録部１０２ａは、ユーザ属性情報の発信を行なうか否かの選択を受け付ける（Ｓ９）。
ここで、ユーザ属性情報の発信を行なう場合は、非常スイッチ登録部１０２ａは、非常通知電話に含められるユーザ属性情報の録音編集を受け付ける（Ｓ１０）。このとき、予めデータ記録部１０７に格納されているユーザ属性情報の中から、所望のユーザ属性情報を選択したり、通話音声を入力するマイクを介して、前記ユーザの声によって、ユーザ属性情報を入力したりして、非常通知電話に含められるユーザ属性情報の録音編集が行なわれ、非常スイッチ登録部１０２ａが、録音編集されたユーザ属性情報を内部メモリに保持する。他方、ユーザ属性情報の発信を行なわない場合は、非常スイッチ登録部１０２ａは、ユーザ属性情報の発信を行なわないという情報を内部メモリに保持する。
このようにして、非常メッセージの通知設定を行なった後、非常スイッチ登録部１０２ａは、非常時に、非常通知ブザーの鳴動を行なうか否かの選択を受け付ける（Ｓ１１）。
【００３７】
非常通知ブザーの鳴動を行なう場合、非常スイッチ登録部１０２ａは、予めデータ記録部１０７に格納されている複数の非常通知ブザー音の中から、所望の非常通知ブザー音の指定を受け付ける（Ｓ１２）。ここで、予めデータ記録部１０７に格納されている非常通知ブザー音としては、例えば、パトカーや救急車等のサイレン音や、「助けて。助けて。」等の音声があるものとする。また、このとき、非常スイッチ登録部１０２ａは、非常通知ブザーの音量設定や非常通知ブザーの鳴動時間等の指定も受け付ける。そして、非常スイッチ登録部１０２ａは、指定された非常通知ブザー音を内部メモリに保持する。
【００３８】
一方、非常通知ブザーの鳴動を行なわない場合は、非常スイッチ登録部１０２ａは、非常通知ブザーの鳴動を行なわないという情報を内部メモリに保持する。その後、非常スイッチ登録部１０２ａは、内部メモリに保持している各内容に基づいて、非常スイッチ動作割り当てデータを作成し、データ記録部１０７に格納し（Ｓ１３）、非常スイッチに非常時動作を設定する処理を終了する。
【００３９】
図４は、本非常通知機能付き携帯端末装置１００の前記設定処理において作成された非常スイッチ動作割り当てデータの構造を示す図である。
この非常スイッチ動作割り当てデータは、非常スイッチ種別１３１、非常メッセージ通知手段１３２、非常メッセージ通知先１３３、非常メッセージ通知先メールアドレスまたは電話番号１３４、非常メッセージ内容１３５、ユーザ属性情報内容１３６および非常通知ブザー内容１３７等から構成される。
【００４０】
そして、ユーザが、非常時に、非常入力部１０９を操作することによって、非常スイッチ検知部１０２ｂが、データ記録部１０７に格納されている非常スイッチ動作割り当てデータを参照して、非常時動作を実行する処理を行なう。
【００４１】
図５は、本非常通知機能付き携帯端末装置１００の非常スイッチの操作時における非常時動作を実行する処理フロー図である。
まず、ユーザが非常入力部１０９を構成するいずれかの非常スイッチを操作する（Ｓ２１）。このとき、電源部１０３から常時電気エネルギーが供給されている非常入力部１０９は、電源スイッチ１０４がＯＮ／ＯＦＦいずれの状態にあるかを検知し（Ｓ２２）、電源スイッチ１０４がＯＮになっていれば、非常スイッチの操作信号を非常スイッチ検知部１０２ｂに送る。一方、電源スイッチ１０４がＯＦＦになっていれば、非常入力部１０９は、電源スイッチ１０４をＯＮにする信号を電源スイッチ１０４に送り、その後、非常スイッチの操作信号を非常スイッチ検知部１０２ｂに送る（Ｓ２３）。
【００４２】
次に、非常スイッチの操作信号を受け取った非常スイッチ検知部１０２ｂは、位置情報取得部１０８に、ユーザの現在位置情報の取得を指示する（Ｓ２４）。ユーザ現在位置情報取得指示を受けた位置情報取得部１０８は、電波を発して、ＧＰＳ衛星や基地局等から、経度、緯度および高度情報等の位置情報を受信し、受信した位置情報を、非常スイッチ検知部１０２ｂに送る。
【００４３】
その後、非常スイッチ検知部１０２ｂは、非常入力部１０９を構成するいずれの非常スイッチの操作であるかを判断する（Ｓ２５）。そして、非常スイッチ検知部１０２ｂは、データ記録部１０７に格納されている非常スイッチ動作割り当てデータを参照して、操作された非常スイッチの種別に、前記設定処理において割り当てた非常時動作を判断し、実行する（Ｓ２６ａ〜Ｓ２６ｄ）。
このように、ユーザは、非常スイッチだけを操作すれば、本非常通知機能付き携帯端末装置１００の電源スイッチ１０４をＯＮにすることができ、予め設定された非常時動作が自動的に実行されることとなる。
【００４４】
図６は、本非常通知機能付き携帯端末装置１００の非常スイッチごとに割り当てた非常時動作を実行する処理フロー図である。
まず、非常スイッチ検知部１０２ｂは、操作された非常スイッチの種別に、前記設定処理において割り当てた非常メッセージ通知手段を、データ記録部１０７に格納されている非常スイッチ動作割り当てデータを参照し、判断して、内部メモリに保持する（Ｓ３１）。
【００４５】
このとき、割り当てた非常メッセージ通知手段が非常通知メールであった場合は、非常スイッチ検知部１０２ｂは、前記設定処理において、指定された送信先メールアドレスを、データ記録部１０７に格納されている非常スイッチ動作割り当てデータを参照し、読み出して、内部メモリに保持する（Ｓ３２）。
【００４６】
次に、非常スイッチ検知部１０２ｂは、前記設定処理において、編集された非常通知メッセージ文を、データ記録部１０７に格納されている非常スイッチ動作割り当てデータを参照し、読み出して、内部メモリに保持する（Ｓ３３）。
さらに、非常スイッチ検知部１０２ｂは、前記設定処理におけるユーザ属性情報の送信設定を、データ記録部１０７に格納されている非常スイッチ動作割り当てデータを参照して、ユーザ属性情報の送信の有無を判断し（Ｓ３４）、送信する場合は、編集されたユーザ属性情報をデータ記録部１０７から読み出して、内部メモリに保持する（Ｓ３５）。
【００４７】
そして、非常スイッチ検知部１０２ｂは、前記実行処理において、位置情報取得部１０８から受け取った位置情報を、ユーザ現在位置情報として文字データ化し、内部メモリに保持する（Ｓ３６）。
その後、非常スイッチ検知部１０２ｂは、内部メモリに保持している非常メッセージ通知手段、送信先メールアドレス、非常通知メッセージ文およびユーザ現在位置情報の内容を用いて、さらに、ユーザ属性情報の送信設定がある場合は、内部メモリに保持しているユーザ属性情報の内容をも加えて、非常メッセージの送信内容を編集し、送信内容を送信先メールアドレスに送信する指示を、通信部１０５に送る。そして、通信部１０５が、前記送信内容を、前記送信先メールアドレスに送信する処理を行なう（Ｓ３７）。
【００４８】
一方、割り当てた非常メッセージ通知手段が非常通知電話であった場合は、非常スイッチ検知部１０２ｂは、前記設定処理において、指定された発信先電話番号を、データ記録部１０７に格納されている非常スイッチ動作割り当てデータを参照し、読み出して、内部メモリに保持する（Ｓ３８）。
【００４９】
次に、非常スイッチ検知部１０２ｂは、前記設定処理において、録音編集された非常通知メッセージ音声を、データ記録部１０７に格納されている非常スイッチ動作割り当てデータを参照し、読み出して、内部メモリに保持する（Ｓ３９）。
さらに、非常スイッチ検知部１０２ｂは、前記設定処理におけるユーザ属性情報の発信設定を、データ記録部１０７に格納されている非常スイッチ動作割り当てデータを参照して、ユーザ属性情報の発信の有無を判断し（Ｓ４０）、発信する場合は、録音編集されたユーザ属性情報をデータ記録部１０７から読み出して、内部メモリに保持する（Ｓ４１）。
【００５０】
そして、非常スイッチ検知部１０２ｂは、前記実行処理において、位置情報取得部１０８から受け取った位置情報を、ユーザ現在位置情報として音声データ化し、内部メモリに保持する（Ｓ４２）。
その後、非常スイッチ検知部１０２ｂは、内部メモリに保持している非常メッセージ通知手段、発信先電話番号、非常通知メッセージ音声およびユーザ現在位置情報の内容を用いて、さらに、ユーザ属性情報の発信設定がある場合は、内部メモリに保持しているユーザ属性情報の内容をも加えて、非常メッセージの発信内容を編集し、発信内容を発信先電話番号に発信する指示を、通信部１０５に送る。そして、通信部１０５が、前記発信内容を、前記発信先電話番号に発信する処理を行なう（Ｓ４３）。
【００５１】
このようにして、非常メッセージの送信または発信処理を行なった後、非常スイッチ検知部１０２ｂは、前記設定処理において、非常通知ブザーの鳴動を行なう設定をしたか否かを判断する（Ｓ４４）。
【００５２】
非常通知ブザーの鳴動を行なう設定をした場合は、非常スイッチ検知部１０２ｂは、前記設定処理において、指定された非常通知ブザー音をデータ記録部１０７に格納されている非常スイッチ動作割り当てデータを参照し、読み出して、内部メモリに保持する（Ｓ４５）。そして、非常スイッチ検知部１０２ｂは、内部メモリに保持している非常通知ブザー音を、スピーカ１１０に送り、スピーカ１１０は、当該非常通知ブザー音を外部出力するとともに、本非常通知機能付き携帯端末装置１００本体を揺れ動かす。
このように、ユーザが、一の非常スイッチを操作すると、当該一の非常スイッチの種別が判断され、当該一の非常スイッチに割り当てた非常時動作が、自動的に実行されることとなる。
【００５３】
図７は、本発明に係る非常通知機能付き携帯端末装置１００の使用例の概要を説明するための図である。
緊急情報センター端末装置群２００は、専らユーザからの非常メッセージの受け取りを行ない、ユーザ家庭用受信端末装置群３００や公的機関用受信端末装置群４００に救援要請や救援要請報告等を行なう機関に設置されているサーバ、ワークステーション、固定電話などである。
【００５４】
ユーザ家庭用受信端末装置群３００は、ユーザの自宅に設置されている固定電話やパーソナルコンピュータ、ユーザの家族が所有している携帯電話等である。公的機関用受信端末装置群４００は、救急病院等の公的機関に設置されているサーバ、ワークステーション、固定電話等である。
通信回線５００は、電話回線、インターネット回線等の電気通信網であり、ユーザの非常メッセージを、緊急情報センター端末装置群２００、ユーザ家庭用受信端末装置群３００および公的機関用受信端末装置群４００に送信するための経路である。
【００５５】
まず、本非常通知機能付き携帯端末装置１００のユーザは、非常時に本非常通知機能付き携帯端末装置１００の非常スイッチとして、正面凹ボタン１２１を操作することによって、非常メッセージを送信する。そして、当該非常メッセージは、通信回線５００を通じて、緊急情報センター端末装置群２００やユーザ家庭用受信端末装置群３００や公的機関用受信端末装置群４００等に送信される。なお、電波の流れを、波状線で表す。
【００５６】
次に、前記ユーザからの前記非常メッセージを受信した前記緊急情報センター端末装置群２００は、前記非常メッセージの内容からユーザの現在位置情報、ユーザの救援に最も適した救援者、救急病院等を割り出し、ユーザ家庭用受信端末装置群３００や公的機関用受信端末装置群４００に対して、救援要請メール等を送信したり、ユーザ家庭用受信端末装置群３００に対して、救援要請を行なった旨の救援要請報告メール等を送信したりする。
【００５７】
さらに、前記ユーザからの前記非常メッセージを受信したユーザ家庭用受信端末装置群３００を介して、前記ユーザの家族等は、前記非常メッセージの内容から前記ユーザの現在位置情報等を判断し、前記ユーザの救援に向かったり、公的機関用受信端末装置群４００に救援要請メール等を送信したりすることができる。また、前記緊急情報センター端末装置群２００から前記救援要請メール等を受信したユーザ家庭用受信端末装置群３００を介して、前記ユーザの家族等は、前記救援要請メール等から前記ユーザの現在位置情報等を判断し、前記ユーザの救援に向かうことができる。
【００５８】
そして、前記ユーザからの前記非常メッセージを受け取った公的機関用受信端末装置群４００を介して、公的機関に所属する救援担当者は、前記非常メッセージの内容から前記ユーザの現在位置情報、救援対象となる前記ユーザを特定するユーザ属性情報等を判断し、前記ユーザの救援に向かうことができる。また、前記緊急情報センター端末装置群２００またはユーザ家庭用受信端末３００から前記救援要請メール等を受信した公的機関用受信端末装置群４００を介して、前記公的機関に所属する救援担当者は、前記救援要請メール等から前記ユーザの現在位置情報、救援対象となる前記ユーザを特定するユーザ属性情報等を判断し、前記ユーザの救援に向かうことができる。
【００５９】
このように、本実施の形態によれば、ユーザが非常事態に陥ったときに、非常スイッチを操作することによって、救援を要請する非常通知メッセージを、メールや電話によって、ユーザが希望する連絡先に自動的に送ることができる。また、非常スイッチを操作した際の非常時動作を予め設定することによって、非常時にユーザが会話できない状態であっても、救援要請先に、ユーザがいかなる非常事態に陥ったのかを知らせたり、救援を要請したユーザの所在地を知らせたり、救急隊員等が救援を要請したユーザを判別できるようユーザの特徴を知らせたりすることができる。さらに、非常スイッチを複数備えることによって、ユーザは、様々な非常事態に応じた救援要請を行なうことができる。
【００６０】
また、非常通知ブザーを鳴動させることによって、ユーザの周囲に、ユーザの非常事態を知らせることもでき、鳴動させる非常通知ブザーの種類を予め設定することによって、ユーザの周囲に、ユーザがいかなる非常事態に陥ったのかを知らせることもできる。
さらに、電源スイッチがＯＦＦであっても、非常スイッチを操作することによって、自動的に、電源スイッチをＯＮにするので、ユーザが、別途、電源スイッチをＯＮにする操作をすることなく、設定された非常時動作の実行が可能となる。
【００６１】
（実施の形態２）
次に、本発明の実施の形態２における非常通知機能付き携帯端末装置６００を、図面を参照しながら説明する。この非常通知機能付き携帯端末装置６００は、前記実施の形態１における非常通知機能付き携帯端末装置１００の構成とほぼ共通するが、制御部６０２と非常入力マイク６０９とが異なることによって、音声入力により非常スイッチをＯＮにするので、非常スイッチの手動操作をすることなく、非常通知をすることができる点で、実施の形態１と異なる。
【００６２】
すなわち、非常入力マイク６０９を介して、予め設定した非常音声を本非常通知機能付き携帯端末装置６００に音声入力すると、制御部６０２が、入力した音声と予め設定した非常音声とが一致するか否かを判断し、一致する場合に、当該非常音声に割り当てた非常時動作を実行することによって、ユーザの非常事態を通知することができる。
【００６３】
以下、実施の形態１と異なる点を中心に説明する。なお、実施の形態１と同一の構成要素には同一の符号を付し、その説明を省略する（以下、他の図面についても同様）。
図８は、本発明の実施の形態２における非常通知機能付き携帯端末装置６００の構成を示す機能ブロック図である。
【００６４】
制御部６００は、本非常通知機能付き携帯端末装置６００を構成する他の各部を制御するＣＰＵ等であり、内部にメモリを備え、通常の携帯電話機等が備える機能、例えば、発着信機能、着信音再生機能等を制御する。そして、この制御部６０２は、非常音声登録部６０２ａと非常音声検知部６０２ｂとを備える。
【００６５】
非常音声登録部６０２ａは、音声認識機能を備え、非常音声を録音し、さらに、非常音声ごとに、非常時の動作を設定し、当該非常音声と当該動作設定とをデータ化して、データ記録部１０７に記録する処理部である。ここで、非常音声とは、本非常通知機能付き携帯端末装置６００に非常時の動作を実行させる音声であって、本非常通知機能付き携帯端末装置６００のユーザの声で録音する合言葉からなる。この非常音声は、本非常通知機能付き携帯端末装置６００の誤動作を防ぐため、例えば、ユーザの氏名を、逆さまにした言葉等、日常会話において使用されない言葉を用いるのが望ましい。
【００６６】
非常音声検知部６０２ｂは、音声認識機能を備え、非常入力マイク６０９を介して入力された音声が、ユーザが録音した非常音声と一致するか否かを判断し、一致する場合には、非常音声の種類を判断して、当該非常音声に割り当てた動作設定を、データ記録部１０７から読み出し、前記動作設定に従って、当該動作を実行する処理部である。
【００６７】
非常入力マイク６０９は、ユーザの音声の入力を受け付け、ユーザの音声を、音声信号として、非常音声検知部６０２ｂに送るマイクロフォンであり、ユーザが非常事態を知らせる際に、非常音声を入力するために用いられる。そして、この非常入力マイク６０９は、ユーザの音声入力を受け付けると、電源スイッチ１０４の状態を検知し、電源スイッチ１０４を強制的にＯＮにする回路を制御する機能を備える。さらに、この非常入力マイク６０９は、音量を検知する音量センサを備え、誤作動防止のため、一定限度以上の音量で発声しなければ、音声を検知しないこととなっている。
【００６８】
なお、本非常通知機能付き携帯端末装置６００の外観は、実施の形態１における非常通知機能付き携帯端末装置１００の外観と、略共通するため、図２（ａ）と図２（ｂ）を用いて、本非常通知機能付き携帯端末装置６００の外観を説明するものとする。本非常通知機能付き携帯端末装置６００においては、図２（ａ）の正面凹ボタン１２１が備えられている位置や、図２（ｂ）の背面凹ボタン１２３が備えられている位置等に、非常入力マイク６０９が備えられることとなる。
【００６９】
以上のように構成された本非常通知機能付き携帯端末装置６００の非常時動作設定と非常時動作実行との二つの処理について図を用いて説明する。
図９は、本非常通知機能付き携帯端末装置６００の非常時動作を割り当てる非常音声と、割り当てられる非常時動作を設定する処理フロー図である。
当該非常時動作の設定は、非常音声登録部６０２ａが、入力部１０１や非常入力マイク６０９を介して、ユーザからの指示を受け取り、表示部１０６を介して、設定内容をユーザに示しながら、処理する。
【００７０】
まず、非常音声登録部６０２ａは、非常入力マイク６０９から、非常時の動作を割り当てる非常音声の録音を受け付ける（Ｓ５１）。このとき、ユーザは、自らの声によって、一定の合言葉を非常入力マイク６０９に対して発声し、非常音声登録部６０２ａは、当該発声された音声の音声信号を、アナログの電圧変動データから、デジタルデータに変換して、その波形のパターンを、非常音声データとして内部メモリに保持する。
【００７１】
次に、非常音声登録部６０２ａは、前記録音された非常音声に割り当てる非常時動作として、非常メッセージ通知手段の選択を受け付ける（Ｓ５２）。この非常メッセージ通知手段としては、前記実施の形態１における場合と同様に、非常通知メールと非常通知電話とを用いるものとする。そして、非常音声登録部６０２ａは、選択された非常メッセージ通知手段を内部メモリに保持する。
【００７２】
前記非常メッセージ通知手段として、非常通知メールを選択した場合、非常音声登録部６０２ａは、非常通知メールの送信先となるメールアドレスの指定を受け付ける（Ｓ５３）。このとき、予めデータ記録部１０７に格納されている複数のメールアドレスの中から、所望の送信先メールアドレスを選択したり、入力部１０１を介して、送信先メールアドレスを入力したりして、非常通知メールの送信先となるメールアドレスの指定が行なわれ、非常音声登録部６０２ａが、指定された送信先メールアドレスを内部メモリに保持する。
【００７３】
次に、非常音声登録部６０２ａは、非常通知メールの非常通知メッセージ文の編集を受け付ける（Ｓ５４）。このとき、予めデータ記録部１０７に格納されている複数の非常通知メッセージ文の中から、所望の非常通知メッセージ文を選択したり、入力部１０１を介して、非常通知メッセージ文を入力したりして、非常通知メールの非常通知メッセージ文の編集が行なわれ、非常音声登録部６０２ａが、編集された非常通知メッセージ文を内部メモリに保持する。
さらに、非常音声登録部６０２ａは、ユーザ属性情報の送信を行なうか否かの選択を受け付ける（Ｓ５５）。
【００７４】
ここで、ユーザ属性情報の送信を行なう場合は、非常音声登録部６０２ａは、非常通知メールに含められるユーザ属性情報の編集を受け付ける（Ｓ５６）。このとき、予めデータ記録部１０７に格納されているユーザ属性情報の中から、所望のユーザ属性情報を選択したり、入力部１０１を介して、ユーザ属性情報を作成したりして、非常通知メールに含められるユーザ属性情報の編集が行なわれ、非常音声登録部６０２ａが、編集されたユーザ属性情報を内部メモリに保持する。他方、ユーザ属性情報の送信を行なわない場合は、非常音声登録部６０２ａは、ユーザ属性情報の送信を行なわないという情報を内部メモリに保持する。
【００７５】
一方、前記非常メッセージ通知手段として、非常通知電話を選択した場合、非常音声登録部６０２ａは、非常通知電話の発信先となる電話番号の指定を受け付ける（Ｓ５７）。このとき、予めデータ記録部１０７に格納されている複数の電話番号の中から、所望の発信先電話番号を選択したり、入力部１０１を介して、発信先電話番号を入力したりして、非常通知電話の発信先となる電話番号の指定が行なわれ、非常音声登録部６０２ａが、指定された発信先電話番号を内部メモリに保持する。
【００７６】
次に、非常音声登録部６０２ａは、非常通知電話の非常通知メッセージ音声の録音編集を受け付ける（Ｓ５８）。このとき、予めデータ記録部１０７に格納されている複数の非常通知メッセージ音声の中から、所望の非常通知メッセージ音声を選択したり、通話音声を入力するマイクや非常入力マイク６０９を介して、前記ユーザの声によって非常通知メッセージ音声を入力したりして、非常通知電話の非常通知メッセージ音声の録音編集が行なわれ、非常音声登録部６０２ａが、録音編集された非常通知メッセージ音声を内部メモリに保持する。
【００７７】
さらに、非常音声登録部６０２ａは、ユーザ属性情報の発信を行なうか否かの選択を受け付ける（Ｓ５９）。
ここで、ユーザ属性情報の発信を行なう場合は、非常音声登録部６０２ａは、非常通知電話に含められるユーザ属性情報の録音編集を受け付ける（Ｓ６０）。このとき、予めデータ記録部１０７に格納されているユーザ属性情報の中から、所望のユーザ属性情報を選択したり、通話音声を入力するマイクや非常入力マイク６０９を介して、前記ユーザの声によって、ユーザ属性情報を入力したりして、非常通知電話に含められるユーザ属性情報の録音編集が行なわれ、非常音声登録部６０２ａが、録音編集されたユーザ属性情報を内部メモリに保持する。他方、ユーザ属性情報の発信を行なわない場合は、非常音声登録部６０２ａは、ユーザ属性情報の発信を行なわないという情報を内部メモリに保持する。
このようにして、非常メッセージの通知設定を行なった後、非常音声登録部６０２ａは、非常時に、非常通知ブザーの鳴動を行なうか否かの選択を受け付ける（Ｓ６１）。
【００７８】
非常通知ブザーの鳴動を行なう場合、非常音声登録部６０２ａは、予めデータ記録部１０７に格納されている複数の非常通知ブザー音の中から、所望の非常通知ブザー音の指定を受け付ける（Ｓ６２）。このとき、非常音声登録部６０２ａは、非常通知ブザーの音量設定や非常通知ブザーの鳴動時間等の指定も受け付ける。そして、非常音声登録部６０２ａは、指定された非常通知ブザー音を内部メモリに保持する。
【００７９】
一方、非常通知ブザーの鳴動を行なわない場合は、非常音声登録部６０２ａは、非常通知ブザーの鳴動を行なわないという情報を内部メモリに保持する。
その後、非常音声登録部６０２ａは、内部メモリに保持している各内容に基づいて、非常音声動作割り当てデータを作成し、データ記録部１０７に格納し（Ｓ６３）、非常音声に非常時動作を設定する処理を終了する。
【００８０】
なお、本非常通知機能付き携帯端末装置６００の前記設定処理において作成された非常音声動作割り当てデータの構造は、実施の形態１における非常通知機能付き携帯端末装置１００における非常スイッチ動作割り当てデータの構造と、略共通するため、図４を用いて、本非常通知機能付き携帯端末装置６００における非常音声動作割り当てデータの構造を説明するものとする。この非常音声動作割り当てデータは、図４の非常スイッチ種別１３１の部分が、非常音声種別となり、非常メッセージ通知手段１３２等のその他の部分は、同一のものから構成される。
そして、ユーザが、非常時に、非常入力マイクに対して非常音声を入力することによって、非常音声検知部６０２ｂが、データ記録部１０７に格納されている非常音声動作割り当てデータを参照して、非常時動作を実行する処理を行なう。
【００８１】
図１０は、本非常通知機能付き携帯端末装置６００の非常音声の入力時における非常時動作を実行する処理フロー図である。
まず、ユーザが、非常入力マイク６０９を介して、本非常通知機能付き携帯端末装置６００に、音声を入力する（Ｓ７１）。このとき、電源部１０３から常時電気エネルギーが供給されている非常入力マイク６０９は、電源スイッチ１０４がＯＮ／ＯＦＦいずれの状態にあるかを検知し（Ｓ７２）、電源スイッチ１０４がＯＮになっていれば、入力された音声を音声信号として非常音声検知部６０２ｂに送る。一方、電源スイッチ１０４がＯＦＦになっていれば、非常入力マイク６０９は、電源スイッチ１０４をＯＮにする信号を電源スイッチ１０４に送り、その後、非常入力マイク６０９は、入力された音声を音声信号として非常音声検知部６０２ｂに送る（Ｓ７３）。
【００８２】
次に、非常音声検知部６０２ｂは、ユーザが入力した音声が、非常音声と一致するか否かを判断する（Ｓ７４）。このとき、非常音声検知部６０２ｂは、ユーザが入力した音声の音声信号を、アナログの電圧変動データから、デジタルデータに変換する。そして、非常音声検知部６０２ｂは、その波形のパターンが、データ記録部１０７に格納されている非常音声データの波形のパターンと一致するか否かによって、ユーザが入力した音声が、非常音声と一致するか否かを判断する。
【００８３】
ユーザが入力した音声が、非常音声と一致しないとき、非常音声検知部６０２ｂは、エラー表示をして、非常時の動作を行なわない（Ｓ７５）。
ユーザが入力した音声が、非常音声と一致する場合は、非常音声の入力信号を受け取った非常入力検知部６０２ｂは、位置情報取得部１０８に、ユーザの現在位置情報の取得を指示する（Ｓ７６）。そして、ユーザ現在位置情報取得指示を受けた位置情報取得部１０８は、電波を発して、ＧＰＳ衛星や基地局等から、経度、緯度および高度情報等の位置情報を受信し、受信した位置情報を、非常音声検知部６０２ｂに送る。
【００８４】
その後、非常音声検知部６０２ｂは、入力された非常音声の種別を判断する（Ｓ７７）。このとき、非常音声検知部６０２ｂは、上記デジタルデータに変換した音声信号の波形のパターンとデータ記録部１０７に格納されている非常音声データの波形のパターンとを用いて、入力された非常音声の種別を判断する。
そして、非常音声検知部６０２ｂは、データ記録部１０７に格納されている非常音声動作割り当てデータを参照して、入力された非常音声の種別に、前記設定処理において割り当てた非常時動作を判断し、実行する（Ｓ７８ａ〜Ｓ７８ｃ）。
【００８５】
このように、ユーザは、非常音声を入力するだけで、本非常通知機能付き携帯端末装置６００の電源スイッチ１０４をＯＮにすることができ、予め設定された非常時動作が自動的に実行されることとなる。
【００８６】
なお、本非常通知機能付き携帯端末装置６００の非常音声ごとに割り当てた非常時動作を実行する処理は、実施の形態１における非常通知機能付き携帯端末装置１００の非常スイッチごとに割り当てた非常時動作を実行する処理と、略共通するため、図６を用いて、本非常通知機能付き携帯端末装置６００の非常音声ごとに割り当てた非常時動作を実行する処理フローを説明するものとする。
【００８７】
まず、非常音声検知部６０２ｂは、入力された非常音声の種別に、前記設定処理において割り当てた非常メッセージ通知手段を、データ記録部１０７に格納されている非常音声動作割り当てデータを参照し、判断して、内部メモリに保持する（Ｓ３１）。
【００８８】
このとき、割り当てた非常メッセージ通知手段が非常通知メールであった場合は、非常音声検知部６０２ｂは、前記設定処理において、指定された送信先メールアドレスを、データ記録部１０７に格納されている非常音声動作割り当てデータを参照し、読み出して、内部メモリに保持する（Ｓ３２）。
【００８９】
次に、非常音声検知部６０２ｂは、前記設定処理において、編集された非常通知メッセージ文を、データ記録部１０７に格納されている非常音声動作割り当てデータを参照し、読み出して、内部メモリに保持する（Ｓ３３）。
さらに、非常音声検知部６０２ｂは、前記設定処理におけるユーザ属性情報の送信設定を、データ記録部１０７に格納されている非常音声動作割り当てデータを参照して、ユーザ属性情報の送信の有無を判断し（Ｓ３４）、送信する場合は、編集されたユーザ属性情報をデータ記録部１０７から読み出して、内部メモリに保持する（Ｓ３５）。
【００９０】
そして、非常音声検知部６０２ｂは、前記実行処理において、位置情報取得部１０８から受け取った位置情報を、ユーザ現在位置情報として文字データ化し、内部メモリに保持する（Ｓ３６）。
その後、非常音声検知部６０２ｂは、内部メモリに保持している非常メッセージ通知手段、送信先メールアドレス、非常通知メッセージ文およびユーザ現在位置情報の内容を用いて、さらに、ユーザ属性情報の送信設定がある場合は、内部メモリに保持しているユーザ属性情報の内容をも加えて、非常メッセージの送信内容を編集し、送信内容を送信先メールアドレスに送信する指示を、通信部１０５に送る。そして、通信部１０５が、前記送信内容を、前記送信先メールアドレスに送信する処理を行なう（Ｓ３７）。
【００９１】
一方、割り当てた非常メッセージ通知手段が非常通知電話であった場合は、非常音声検知部６０２ｂは、前記設定処理において、指定された発信先電話番号を、データ記録部１０７に格納されている非常音声動作割り当てデータを参照し、読み出して、内部メモリに保持する（Ｓ３８）。
【００９２】
次に、非常音声検知部６０２ｂは、前記設定処理において、録音編集された非常通知メッセージ音声を、データ記録部１０７に格納されている非常音声動作割り当てデータを参照し、読み出して、内部メモリに保持する（Ｓ３９）。
さらに、非常音声検知部６０２ｂは、前記設定処理におけるユーザ属性情報の発信設定を、データ記録部１０７に格納されている非常音声動作割り当てデータを参照して、ユーザ属性情報の発信の有無を判断し（Ｓ４０）、発信する場合は、録音編集されたユーザ属性情報をデータ記録部１０７から読み出して、内部メモリに保持する（Ｓ４１）。
【００９３】
そして、非常音声検知部６０２ｂは、前記実行処理において、位置情報取得部１０８から受け取った位置情報を、ユーザ現在位置情報として音声データ化し、内部メモリに保持する（Ｓ４２）。
その後、非常音声検知部６０２ｂは、内部メモリに保持している非常メッセージ通知手段、発信先電話番号、非常通知メッセージ音声およびユーザ現在位置情報の内容を用いて、さらに、ユーザ属性情報の発信設定がある場合は、内部メモリに保持しているユーザ属性情報の内容をも加えて、非常メッセージの発信内容を編集し、発信内容を発信先電話番号に発信する指示を、通信部１０５に送る。そして、通信部１０５が、前記発信内容を、前記発信先電話番号に発信する処理を行なう（Ｓ４３）。
【００９４】
このようにして、非常メッセージの送信または発信処理を行なった後、非常音声検知部６０２ｂは、前記設定処理において、非常通知ブザーの鳴動を行なう設定をしたか否かを判断する（Ｓ４４）。
【００９５】
非常通知ブザーの鳴動を行なう設定をした場合は、非常音声検知部６０２ｂは、前記設定処理において、指定された非常通知ブザー音をデータ記録部１０７に格納されている非常音声動作割り当てデータを参照し、読み出して、内部メモリに保持する（Ｓ４５）。そして、非常音声検知部６０２ｂは、内部メモリに保持している非常通知ブザー音を、スピーカ１１０に送り、スピーカ１１０は、当該非常通知ブザー音を外部出力するとともに、本非常通知機能付き携帯端末装置６００本体を揺れ動かす。
このように、ユーザが、一の非常音声を入力すると、当該一の非常音声の種別が判断され、当該一の非常音声に割り当てた非常時動作が、自動的に実行されることとなる。
【００９６】
図１１は、本発明に係る非常通知機能付き携帯端末装置６００の使用例の概要を説明するための図である。
本非常通知機能付き携帯端末装置６００のユーザは、非常時に本非常通知機能付き携帯端末装置６００の非常入力マイク６０９に、非常音声を入力することによって、非常メッセージを送信する。そして、前記実施の形態１における使用例と同様に、当該非常メッセージが、通信回線５００を通じて、緊急情報センター端末装置群２００やユーザ家庭用受信端末装置群３００や公的機関用受信端末装置群４００等に送信されることによって、ユーザの家族等は、ユーザの救援に向かうことが可能となる。
【００９７】
このように、本実施の形態によれば、ユーザが非常事態に陥ったときに、非常スイッチを操作することなく、ユーザが、自らの声で録音した非常音声を、音声入力することによって、救援を要請する非常通知メッセージを、メールや電話によって、ユーザが希望する連絡先に自動的に送ることができる。また、複数パターンの非常音声を記録しておくことによって、ユーザは、様々な非常事態に応じた救援要請を行なうことができる。
さらに、電源スイッチがＯＦＦであっても、非常音声を入力することによって、自動的に、電源スイッチをＯＮにするので、ユーザが、別途、電源スイッチをＯＮにする操作をすることなく、設定された非常時動作の実行が可能となる。
【００９８】
以上、本発明に係る非常通知機能付き携帯端末装置について、実施の形態に基づいて説明したが、本発明は、これらの実施の形態に限定されるものではない。例えば、上記実施の形態では、本発明に係る非常通知機能付き携帯端末装置は、携帯電話機やＰＨＳ電話機であるとしたが、通信回線を用いたコミュニケーション手段を備えるＰＤＡ（Ｐｅｒｓｏｎａｌ　Ｄｉｇｉｔａｌ　Ａｓｓｉｓｔａｎｔ）であってもよい。
【００９９】
また、非常メッセージ通知手段として、メールによる通知手段と電話による通知手段とを用いたが、ファクシミリによる通知手段であってもよい。
さらに、上記実施の形態１においては、非常スイッチとして、正面凹ボタン１２１、突起棒１２２等を用いたが、独立したスイッチを設ける必要はなく、例えば、テンキーの「＃」キーを１０秒間押すと、非常スイッチとして作動することとしてもよい。
【０１００】
同様に、上記実施の形態２において、非常入力マイク６０９は、前記正面凹ボタン１２１の位置等に備えられることとしたが、非常入力マイク６０９が設けられる位置は限られず、また、独立したマイクを設ける必要もなく、通話時に用いられるマイクが、非常入力マイク６０９の機能を兼ね備えてもよい。
【０１０１】
そして、上記実施の形態１においては、非常通知機能付き携帯端末装置１００から送信されるユーザ現在位置情報は、位置情報取得部１０８が、ＧＰＳ等によって、ＧＰＳ衛星や基地局などから取得する経度、緯度および高度情報であったが、これらの位置情報を取得した位置情報取得部１０８が、当該取得した位置情報を基地局の位置計測サーバに送信し、位置情報取得部１０８から位置データを受信した基地局の位置計測サーバが、当該位置情報と地図データベースとを用いる等して、ユーザ現在地図情報を割り出す。そして、前記位置計測サーバが、当該ユーザ現在位置情報を、位置情報取得部１０８に送信し、ユーザ現在地図情報を受信した位置情報取得部１０８が、非常スイッチ検知部１０２ｂに、取得したユーザ現在地図情報を送り、非常スイッチ検知部１０２ｂが当該情報を文字および画像データ化して、非常通知メール等によって送信することとしてもよい。
【０１０２】
【発明の効果】
以上の説明から明らかなように、本発明に係る非常通知機能付き携帯端末装置は、非常事態の通知指示を受け付ける非常入力手段と、前記非常入力手段の操作を検知し、非常事態が発生した旨を、通信回線を用いて、自動的に通知する非常通知手段とを備えることを特徴とする。
これによって、ユーザが非常事態に陥った場合に、非常スイッチを操作すると、当該非常事態が、通信回線を通じて、遠隔の連絡先に対して自動的に通知されるので、当該非常事態を連絡するユーザの携帯端末装置操作が簡略化される。
【０１０３】
ここで、本発明は、さらに、前記非常入力手段の操作を検知し、非常通知機能付き携帯端末装置の主電源スイッチがＯＦＦ状態である場合に、当該非常通知機能付き携帯端末装置の主電源スイッチをＯＮにする非常電源投入手段を備えることとしてもよい。
【０１０４】
これによって、ユーザが非常スイッチを操作すると、携帯端末装置の主電源スイッチがＯＦＦ状態であっても、強制的にＯＮに切り替えられるので、非常事態に、主電源スイッチがＯＦＦになっていても、ユーザが主電源スイッチをＯＮにする操作をすることなく、自動的に非常事態の通知を行なうことが可能となる。
【０１０５】
また、本発明は、非常事態の通知指示を受け付ける非常入力手段と、非常事態の通知先を設定し、設定した通知先に通信回線を用いて非常事態が発生した旨を通知する非常通知と、前記非常入力手段の操作時における携帯端末装置の位置情報を取得する位置情報取得と、前記設定した通知先に通信回線を用いて取得位置情報を通知する位置情報通知と、ブザーの鳴動によって非常事態が発生した旨を知らせる非常ブザー鳴動とを、非常時動作とし、操作者からの指示に従って、前記非常入力手段に対応づけて、非常事態における非常時動作を設定し、当該非常時動作を登録する非常動作登録手段と、前記非常入力手段の操作を検知し、前記非常動作登録手段によって、登録された非常時動作を実行する非常動作実行手段とを備えることとしてもよい。
【０１０６】
これによって、非常スイッチごとに異なる非常時動作を割り当てることができるので、非常事態に適した非常時動作を予め設定しておくことによって、種々雑多な非常事態に対しても、ユーザの非常スイッチ選択のみで、非常事態に適した非常時動作を自動的に実行することができる。
【図面の簡単な説明】
【図１】本発明の実施の形態１における非常通知機能付き携帯端末装置の構成を示す機能ブロック図である。
【図２】（ａ）は、同端末の正面外観図である。
（ｂ）は、同端末の背面外観図である。
（ｃ）は、突起棒が非常スイッチとして作動する状態を表す図である。
（ｄ）は、ストラップの引き抜きが非常スイッチとして作動する状態を表す図である。
【図３】同端末による非常時動作設定処理の流れを示すフロー図である。
【図４】同端末における非常スイッチ動作割り当てデータの構造を示す図である。
【図５】同端末による非常時動作実行処理の流れを示すフロー図である。
【図６】同端末による非常スイッチ割り当て動作実行処理の流れを示すフロー図である。
【図７】同端末の使用例の概要を説明するための図である。
【図８】本発明の実施の形態２における非常通知機能付き携帯端末装置の構成を示す機能ブロック図である。
【図９】同端末による非常時動作設定処理の流れを示すフロー図である。
【図１０】同端末による非常時動作実行処理の流れを示すフロー図である。
【図１１】同端末の使用例の概要を説明するための図である。
【符号の説明】
１００、６００　非常通知機能付き携帯端末装置
１０１　入力部
１０２、６０２　制御部
１０２ａ　非常スイッチ登録部
１０２ｂ　非常スイッチ検知部
１０３　電源部
１０４　電源スイッチ
１０５　通信部
１０６　表示部
１０７　データ記録部
１０８　位置情報取得部
１０９　非常入力部
１１０　スピーカ
１２１　正面凹ボタン
１２２　シャッター
１２３　突起棒
１２４　筒穴
１２５　背面凹ボタン
１２６　ストラップ巻き付け具
１２７　ストラップ巻き付け具挿入筒穴
１２８　ストラップ
２００　緊急情報センター端末装置群
３００　ユーザ家庭用受信端末装置群
４００　公的機関用受信端末装置群
５００　通信回線
６０２ａ　非常音声登録部
６０２ｂ　非常音声検知部
【図１】
2004040339.tif 000003
【図２】
2004040339.tif 000004
【図３】
2004040339.tif 000005
【図４】
2004040339.tif 000006
【図５】
2004040339.tif 000007
【図６】
2004040339.tif 000008
【図７】
2004040339.tif 000009
【図８】
2004040339.tif 000010
【図９】
2004040339.tif 000011
【図１０】
2004040339.tif 000012
【図１１】
2004040339.tif 000013